(57)【要約】【課題】  本考案は、造形美，光沢美のほかアロマオイル，香水などを注入含浸させて長時間芳香を発散するようにした各種の装身具，身飾品を新規に提供するものである。【解決手段】  本考案は、造形美と光沢美を有す高密度金属にてなるブローチ，ネックレス，ペンダント，ブレスレット，アンクレット，イヤリング，ネクタイピン，カフスボタン，ループタイ，時計バンドなどの装身具，身飾品に液体注入の可能な金属粗体を装着し、該金属粗体内にアロマオイル，香水などを注入し含浸させて徐々に発散させるようにしたことを特徴とする芳香を発散する装身具，身飾品にある。【選択図】  図２
0003129194.tif 000002
【実用新案登録請求の範囲】
【請求項１】
造形美と光沢美を有す高密度金属にてなるブローチ，ネックレス，ペンダント，ブレスレット，アンクレット，イヤリング，ネクタイピン，カフスボタン，ループタイ，時計バンドなどの装身具，身飾品に液体注入の可能な金属粗体を装着し、該金属粗体内にアロマオイル，香水などを注入し含浸させて徐々に発散させるようにしたことを特徴とする芳香を発散する装身具，身飾品。
【請求項２】
金属粗体は装身具，身飾品に設ける凹溝と同形にて形成して嵌入しネジ止め，接着止め，圧着止めにより装着する請求項１に記載の芳香を発散する身飾品。
【請求項３】
ネックレス，ブレスレット，アンクレット，時計バンドなど駒体の連結にてなる装身具，身飾品は、該各駒体に設ける凹溝内に香水などを注入含浸させる金属粗体と血行促進のゲルマニウム粒体，マグネット粒体を交互等にて装着する請求項２に記載の芳香を発散する装身具，身飾品。
【考案の詳細な説明】
【技術分野】
【０００１】
この考案は芳香入りの装身具，身飾品、詳しくは装身具，身飾品に造形美，光沢美のほかアロマオイル，香水などを注入し含浸させて長時間芳香を発散するようにした考案に関するものである。
【背景技術】
【０００２】
特開平１１−５６４２０号公報は、イヤリング，ペンダントなどの装身具として釣鐘状を成した吊り下げ形の飾り部材を形成し、該飾り部材内の空洞に香料液を含ませることができる綿などの保水材を詰め込んで芳香機能を持たせた装身具を記載している。
【特許文献１】特開平１１−５６４２０号公報
【考案の開示】
【考案が解決しようとする課題】
【０００３】
しかしながら、該公報は、釣鐘状をした吊り下げ形の飾り部材内に綿などの保水材を詰め込んで、芳香を発散させる要領のため、芳香の発散が飾り部材の一個所に限定されるという課題がある。また詰め込まれる保水材は装身具の揺れ動きなどによって飾り部材から抜けて脱落するおそれがあり、また綿などの保水材は香料液の発散が早く、従って芳香の発散持続性が短いという課題があった。
【課題を解決するための手段】
【０００４】
本考案は、造形美と光沢美を有すブローチ，ネックレス，ペンダント，ブレスレット，アンクレット，イヤリング，ネクタイピン，カフスボタン，ループタイ，時計バンドなどの装身具，身飾品の一部に液体注入の可能な金属粗体を装着し、該金属粗体内にアロマオイル，香水などを注入し含浸させ徐々に発散させるようにして、かかる課題を解決するようにしたのである。
【考案の効果】
【０００５】
本考案は、各種の造形美，光沢美を有す身飾品の一部にアロマオイル，香水などを注入し含浸させることの可能な金属粗体を装着したので、身飾品は造形美，光沢美に加えて芳香を発散する機能を有すことになるという効果を生ずる。
【０００６】
金属粗体は身飾品に設ける凹部内にネジ止め、接着剤による接着、圧力を用いた圧着などにて止めて固定するので、着用による揺れ動きなどによって抜け脱落することが生じないという効果を生ずる。
【０００７】
金属粗体はその表面に微細な開口が多数存在し、それぞれの開口に続いて多数の内部空隙が作られることで注入するアロマオイル，香水などは素早く含浸することとなり、しかも香水などは表面の微細な開口から発散することとなるので、香水などの発散は長時間継続するという効果を生ずる。
【０００８】
芳香の発散は体臭で困っている人を救済することができるという効果を生ずる。
【０００９】
金属粗体は装身具，身飾品に設ける凹溝内に段落嵌込みすることで、香水などの注入を容易にして、且つ肌の刺激と、被服の汚損を防止するという効果を生ずる。
【００１０】
装身具，身飾品に金属粗体とゲルマニウム粒体またはマグネット粒体を交互等にて取付けることにより、芳香の発散作用とゲルマニウム等による健康増進作用を高めることができるという効果を生ずる。
【考案を実施するための最良の形態】
【００１１】
本考案は、造形美と光沢美を有す高密度金属にてなるブローチ，ネックレス，ペンダント，ブレスレット，アンクレット，イヤリング，ネクタイピン，カフスボタン，ループタイ，時計バンドなどの装身具，身飾品に液体注入の可能な金属粗体を装着し、該金属粗体内にアロマオイル，香水などを注入し含浸させて徐々に芳香を発散させる身飾品としたのである。
【実施例１】
【００１２】
以下ブローチによって実施例を説明する。
デザインに沿って造形し、表面を磨き飾りした高密度のチタン製のブローチ１の裏面１ａにブローチ厚の半分ほどの深さの円形の凹溝１ｂを設け、該凹溝１ｂ内に別途形成する同形の金属粗体２を嵌込み、ブローチ１の側面からネジ３止めして固定装着する。金属粗体２はチタン，ステンレスの粉体を素材にして焼結法，ＭＩＭ法（Metal Injection Molding＝金属粉末射出成形焼結法）などによって相対密度を９３〜９６％程度にて固めて形成する。従って、金属粗体２は図２に示すように表面に多くの微細な開口４ａを有し、これに続いて多くの内部空隙４を有すこととなる。なお、金属粗体２は凹溝１ｂの深さよりやや薄い形状にして凹溝１ｂから突出しないようにしている。このように構成したことにより金属粗体２内には香水などが溢れ出さずに容易に注入されることになる。１ｃはブローチを衣服などに挿し止める着用ピンである。
【００１３】
以上のように構成したブローチ１は、凹溝１ｂ内に容器５ａから直接またはスポイト６などを用いてアロマオイル，香水５などを適量垂らすと毛細管現象によって金属粗体２の多数の内部空隙４内に注入され含浸することとなる。このブローチ１を衣服の胸部などに着用ピン１ｃにて挿し止め取付けすると、アロマオイル，香水５などは開口４ａより漸次蒸散し芳香を発散することとなる。多数の内部空隙４内に含浸されたアロマオイル，香水５などは表面の微細な開口４ａから蒸散することとなるので、気候にもよるが１回の注入にて２〜３日芳香を発散し続けることとなる。金属粗体２は凹溝１ｂの深さよりやや薄い形状にしたので、香水５などを溢れ出さずして容易に注入し得るほか、金属粗体２が着用者の衣服に触れて汚すおそれを生じないものにしている。アロマオイル，香水５などは蒸散後に再注入することで引続き発散させ続けることができる。この際別種の香水等を注入して香りを変えることもできる。
ネックレス，ブレスレット，アンクレット，時計バンドなどの装身具，身飾品にも同様にして金属粗体２を固定装着する。この場合はブローチ１と違って金属粗体２を数ヶ所に取付けて香りを分散させることができる。金属粗体２は焼結法，ＭＩＭ法により成形形状が自在なので、円形のほか、楕円形，矩形，三角形など装身具，身飾品のデザインに沿って設ける凹溝１ｂの形状，厚みに合わせて形成することができる。
【実施例２】
【００１４】
図４は金属粗体２をアロマオイル，香水５などに含まれるアルコール等の物質にて変性しない素材の接着剤７にて固定した例を示すものである。接着するかわりに圧力を用いた圧着などにて止めて固定することもある。いずれの場合も固定は強固で抜け脱落したりすることは生じないものである。
【実施例３】
【００１５】
図５は駒体８の連結にてなるブレスレットなど直接肌に触れる装身具，身飾品９の各駒体８の裏面８ａに凹溝８ｂを設け、これらの凹溝８ｂにゲルマニウム粒体またはマグネット粒体１０を固定装着し、そのうちの１乃至数個の凹溝１ｂに金属粗体２を嵌付けた例を示すものである。かくすることにより、アロマオイル，香水などの芳香によるアロマテラピー効果とゲルマニウム粒体によるマイナスイオン作用を加えることができるものとなる。
【産業上の利用可能性】
【００１６】
本考案は、長期間芳香を発散させる装身具，身飾品としてネックレス，ペンダント，ブレスレット，アンクレット，イヤリング，ネクタイピン，カフスボタン，ループタイ，時計バンドなど造形美と光沢美を有す身飾品に広く利用することができるものである。
【図面の簡単な説明】
【００１７】
【図１】ブローチの１例を示す斜視図
【図２】（ａ）はブローチの裏面に金属粗体を嵌付ける前の状態、（ｂ）は嵌付け後、容器，スポイトを用いてアロマオイル，香水などを注入している状態の各斜視図
【図３】金属粗体の部分拡大断面図
【図４】接着剤による金属粗体の接着取付例の断面図
【図５】ブレスレットの各駒の裏面に設けた凹溝内に金属粗体とゲルマニウム粒またはマグネット粒を固定装着した例を示す側断面図
【符号の説明】
【００１８】
１はブローチ
１ａは裏面
１ｂは凹溝
１ｃは着用ピン
２は金属粗体
３はネジ
４は内部空隙
４ａは開口
５はアロマオイル，香水等
５ａは容器
６はスポイト
７は接着剤
８は駒体
８ａは裏面
８ｂは凹溝
９は駒体連結形の装身具，身飾品
１０はゲルマニウム粒体またはマグネット粒体
【図２】
0003129194.tif 000003
【図３】
0003129194.tif 000004
【図４】
0003129194.tif 000005
【図５】
0003129194.tif 000006
【図１】
0003129194.tif 000007